(57)【特許請求の範囲】
【請求項１】
画像に関連付けられたテキスト情報からオノマトペを抽出するオノマトペ抽出手段の抽出結果に基づいて、前記画像に関連付けて表示すべきオノマトペを取得するオノマトペ取得手段と、
前記画像を含む画面を表示手段に表示させる手段であって、前記オノマトペ取得手段によって取得されたオノマトペを前記画像に関連付けて表示させる表示制御手段と、
を含み、
前記画像は商品又はサービスに関する画像であり、
前記テキスト情報は、前記商品又は前記サービスの購入者によって登録された前記商品又は前記サービスに関するコメント情報であり、
前記オノマトペ取得手段は、前記購入者によって登録された前記コメント情報からのオノマトペの抽出結果に基づいて、前記商品又は前記サービスに関する前記画像に関連付けて表示すべきオノマトペを取得し、
前記表示制御手段は、前記オノマトペ取得手段によって取得されたオノマトペを、前記商品又は前記サービスに関する前記画像に関連付けて表示させる、
ことを特徴とする表示制御装置。
【請求項２】
請求項１に記載の表示制御装置において、
前記画面は複数の前記画像を含み、
前記オノマトペ取得手段は、前記複数の画像のうちの一の画像に関連付けられたテキスト情報と、前記複数の画像のうちの他の画像に関連付けられたテキスト情報とに基づいて取得される、前記一の画像の被写体特有の特徴を示すオノマトペを、前記一の画像に関連付けて表示すべきオノマトペとして取得する手段を含む、
ことを特徴とする表示制御装置。
【請求項３】
請求項２に記載の表示制御装置において、
前記オノマトペ取得手段は、前記一の画像に関連付けられたテキスト情報と、前記他の画像に関連付けられたテキスト情報との比較結果に基づいて取得される、前記他の画像の被写体に対する前記一の画像の被写体の相対的な特徴を示すオノマトペを、前記一の画像に関連付けて表示すべきオノマトペとして取得する手段を含む、
ことを特徴とする表示制御装置。
【請求項４】
請求項２又は３に記載の表示制御装置において、
前記オノマトペ取得手段は、前記一の画像に関連付けられたテキスト情報と、前記一の画像の被写体と同一又は類似の被写体が写っている前記他の画像に関連付けられたテキスト情報とに基づいて取得される、前記一の画像の被写体と前記他の画像の被写体とに共通的な特徴を示すオノマトペを、前記一の画像に関連付けて表示すべきオノマトペとして取得する手段を含む、
ことを特徴とする表示制御装置。
【請求項５】
請求項１乃至４のいずれかに記載の表示制御装置において、
前記テキスト情報には複数の個別テキスト情報が含まれ、
前記複数の個別テキスト情報の各々には、前記画像の被写体に関する評価を示す評価情報が関連付けられており、
前記オノマトペ取得手段は、前記画像に関連付けられた前記複数の個別テキスト情報のうちの、所定の評価基準を満足する前記評価情報が関連付けられた個別テキスト情報から抽出されたオノマトペを、前記画像に関連付けて表示すべきオノマトペとして取得する、
ことを特徴とする表示制御装置。
【請求項６】
請求項１乃至５のいずれかに記載の表示制御装置において、
前記画面は複数の前記画像を含み、
前記表示制御手段は、前記複数の画像のうちの少なくとも一つを、オノマトペ表示の対象として設定し、前記対象として設定されている画像に関連付けて、当該画像に関連付けて表示すべきオノマトペとして前記オノマトペ取得手段によって取得されたオノマトペを表示し、
前記表示制御手段は前記対象を前記複数の画像のうちで次々と変える、
ことを特徴とする表示制御装置。
【請求項７】
請求項６に記載の表示制御装置において、
前記表示制御手段は、前記複数の画像のうちの一の画像が前記対象として設定されている場合、前記一の画像の次の前記対象として、前記一の画像付近に表示されている少なくとも一つの画像を設定する、
ことを特徴とする表示制御装置。
【請求項８】
請求項６又は７に記載の表示制御装置において、
前記表示制御手段は、前記複数の画像のうちの一の画像が前記対象として設定される期間の少なくとも一部と、前記一の画像と所定の位置関係を有する画像が前記対象として設定される期間の少なくとも一部とが重複しないように制御する、
ことを特徴とする表示制御装置。
【請求項９】
請求項６乃至８のいずれかに記載の表示制御装置において、
前記表示制御手段は、前記オノマトペを前記画像に関連付けて表示する場合の当該オノマトペの表示態様を、当該画像に関連付けられたテキスト情報における当該オノマトペの出現回数に関する情報に基づいて設定する手段を含み、
前記表示制御手段は、前記複数の画像のうちから複数の画像を前記対象として設定する場合、所定の第１の表示態様でオノマトペが表示されることになる画像と、前記第１の表示態様よりも目立つ表示態様である所定の第２の表示態様でオノマトペが表示されることになる画像とを前記対象として設定する、
ことを特徴とする表示制御装置。
【請求項１０】
請求項１乃至９のいずれかに記載の表示制御装置において、
前記表示制御手段は、
前記画像にユーザの注目を引きつけるための処理を実行する手段と、
前記処理の実行中又は前記処理の実行後に前記オノマトペを前記画像に関連付けて表示する手段と、を含む、
ことを特徴とする表示制御装置。
【請求項１１】
請求項１乃至１０のいずれかに記載の表示制御装置において、
前記表示制御手段は、前記オノマトペが前記画像に関連付けて表示されている間、又は、前記画像に関連付けて表示される前記オノマトペの表示が終了した後に、前記画像にユーザの注目を引きつけるための処理を実行する手段を含む、
ことを特徴とする表示制御装置。
【請求項１２】
請求項１乃至１１のいずれかに記載の表示制御装置において、
前記オノマトペ取得手段は、前記画像と前記画像に関連付けられたテキスト情報との両方に含まれているオノマトペを、前記画像に関連付けて表示すべきオノマトペとして取得しない、
ことを特徴とする表示制御装置。
【請求項１３】
請求項１乃至１２のいずれかに記載の表示制御装置において、
前記画面には、検索条件を満足する被写体が写っている前記画像が表示され、
前記オノマトペ取得手段は、前記画像に関連付けられたテキスト情報と前記検索条件との両方に含まれるオノマトペを、前記画像に関連付けて表示すべきオノマトペとして取得しない、
ことを特徴とする表示制御装置。
【請求項１４】
請求項１乃至１３のいずれかに記載の表示制御装置において、
前記オノマトペ取得手段は、前記画像に関連付けられたテキスト情報に含まれるオノマトペのうちの、ユーザが過去に購入した商品又はサービスに関する画像に関連付けられたテキスト情報に含まれるオノマトペを、他のオノマトペよりも優先して、前記画像に関連付けて表示すべきオノマトペとして取得する、
ことを特徴とする表示制御装置。
【請求項１５】
請求項１乃至１４のいずれかに記載の表示制御装置において、
前記オノマトペ取得手段は、前記画像に関連付けられたテキスト情報に含まれるオノマトペのうちの、ユーザが過去に閲覧した商品又はサービスに関する画像に関連付けられたテキスト情報に含まれるオノマトペを、他のオノマトペよりも優先して、前記画像に関連付けて表示すべきオノマトペとして取得する、
ことを特徴とする表示制御装置。
【請求項１６】
請求項１乃至１５のいずれかに記載の表示制御装置において、
前記表示制御手段は、前記オノマトペを前記画像に関連付けて表示する頻度又は時間を、前記商品又は前記サービスに関する情報と、前記商品又は前記サービスの提供者に関する情報との少なくとも一方に基づいて設定する、
ことを特徴とする表示制御装置。
【請求項１７】
請求項１乃至１６のいずれかに記載の表示制御装置において、
前記テキスト情報には複数の個別テキスト情報が含まれ、
前記画面は、複数の画像のうちの少なくとも一つをユーザが選択するための第１の画面であり、
前記表示制御手段は、前記第１の画面に表示される複数の画像のうちから前記ユーザによって選択された画像に関連付けられた複数の個別テキスト情報の全部又は一部を前記ユーザに提示するための第２の画面を前記表示手段に表示させる手段を含み、
前記表示制御手段は、
前記第１の画面に表示される複数の画像のうちから、前記オノマトペが関連付けて表示されている画像が前記ユーザによって選択された場合、前記第２の画面において、前記選択された画像に関連付けられた複数の個別テキスト情報のうちの、当該オノマトペを含む個別テキスト情報を、当該オノマトペを含まない個別テキスト情報とは区別して表示させる手段と、
前記第１の画面に表示される複数の画像のうちから、前記オノマトペが関連付けて表示されている画像が前記ユーザによって選択された場合、前記第２の画面において、前記選択された画像に関連付けられた複数の個別テキスト情報のうちの、当該オノマトペを含む個別テキスト情報を、当該オノマトペを含まない個別テキスト情報よりも優先して表示させる手段と、の少なくとも一方を含む、
ことを特徴とする表示制御装置。
【請求項１８】
画像に関連付けられたテキスト情報からオノマトペを抽出するオノマトペ抽出手段の抽出結果に基づいて、前記画像に関連付けて表示すべきオノマトペを取得するオノマトペ取得ステップと、
前記画像を含む画面を表示手段に表示させるステップであって、前記オノマトペ取得ステップによって取得されたオノマトペを前記画像に関連付けて表示させる表示制御ステップと、
を含み、
前記画像は商品又はサービスに関する画像であり、
前記テキスト情報は、前記商品又は前記サービスの購入者によって登録された前記商品又は前記サービスに関するコメント情報であり、
前記オノマトペ取得ステップでは、前記購入者によって登録された前記コメント情報からのオノマトペの抽出結果に基づいて、前記商品又は前記サービスに関する前記画像に関連付けて表示すべきオノマトペが取得され、
前記表示制御ステップでは、前記オノマトペ取得ステップによって取得されたオノマトペが、前記商品又は前記サービスに関する前記画像に関連付けて表示される、
ことを特徴とする表示制御装置の制御方法。
【請求項１９】
画像に関連付けられたテキスト情報からオノマトペを抽出するオノマトペ抽出手段の抽出結果に基づいて、前記画像に関連付けて表示すべきオノマトペを取得するオノマトペ取得手段、及び、
前記画像を含む画面を表示手段に表示させる手段であって、前記オノマトペ取得手段によって取得されたオノマトペを前記画像に関連付けて表示させる表示制御手段、
としてコンピュータを機能させ、
前記画像は商品又はサービスに関する画像であり、
前記テキスト情報は、前記商品又は前記サービスの購入者によって登録された前記商品又は前記サービスに関するコメント情報であり、
前記オノマトペ取得手段は、前記購入者によって登録された前記コメント情報からのオノマトペの抽出結果に基づいて、前記商品又は前記サービスに関する前記画像に関連付けて表示すべきオノマトペを取得し、
前記表示制御手段は、前記オノマトペ取得手段によって取得されたオノマトペを、前記商品又は前記サービスに関する前記画像に関連付けて表示させる、
ことを特徴とするプログラム。
【請求項２０】
画像に関連付けられたテキスト情報からオノマトペを抽出するオノマトペ抽出手段の抽出結果に基づいて、前記画像に関連付けて表示すべきオノマトペを取得するオノマトペ取得手段、及び、
前記画像を含む画面を表示手段に表示させる手段であって、前記オノマトペ取得手段によって取得されたオノマトペを前記画像に関連付けて表示させる表示制御手段、
としてコンピュータを機能させ、
前記画像は商品又はサービスに関する画像であり、
前記テキスト情報は、前記商品又は前記サービスの購入者によって登録された前記商品又は前記サービスに関するコメント情報であり、
前記オノマトペ取得手段は、前記購入者によって登録された前記コメント情報からのオノマトペの抽出結果に基づいて、前記商品又は前記サービスに関する前記画像に関連付けて表示すべきオノマトペを取得し、
前記表示制御手段は、前記オノマトペ取得手段によって取得されたオノマトペを、前記商品又は前記サービスに関する前記画像に関連付けて表示させる、
ことを特徴とするプログラムとしてコンピュータ読み取り可能な情報記憶媒体。
【発明の詳細な説明】
【技術分野】
【０００１】
本発明は表示制御装置、表示制御装置の制御方法、プログラム、及び情報記憶媒体に関する。
【背景技術】
【０００２】
画像を含む画面を表示部に表示する表示制御装置が知られている。例えば、特許文献１では、複数の商品画像がクライアント端末の表示部に表示されるようになっている。
【先行技術文献】
【特許文献】
【０００３】
【特許文献１】特開２００７−１３３５３２号公報
【発明の概要】
【発明が解決しようとする課題】
【０００４】
ユーザは商品画像を閲覧することによって、商品の外観的特徴を把握することができる。しかしながら、実際に商品を体験することによって感じることができる感覚（触覚、味覚、臭覚、又は聴覚等）がどのようなものであるのかを商品画像から把握することはユーザにとって困難である。すなわち、実際に商品を体験することによって分かる商品の感覚的特徴（言い換えれば、実際に商品を体験しなければ分からない商品の特徴）を商品画像から把握することはユーザにとって困難である。【０００５】
本発明は上記課題に鑑みてなされたものであって、その目的は、画面に表示される画像を閲覧しているユーザが画像の被写体の感覚的特徴を把握できるように補助することが可能な表示制御装置、表示制御装置の制御方法、プログラム、及び情報記憶媒体を提供することにある。
【課題を解決するための手段】
【０００６】
上記課題を解決するために、本発明に係る表示制御装置は、画像に関連付けられたテキスト情報からオノマトペを抽出するオノマトペ抽出手段の抽出結果に基づいて、前記画像に関連付けて表示すべきオノマトペを取得するオノマトペ取得手段と、前記画像を含む画面を表示手段に表示させる手段であって、前記オノマトペ取得手段によって取得されたオノマトペを前記画像に関連付けて表示させる表示制御手段と、を含む。【０００７】
また、本発明に係る表示制御装置の制御方法は、画像に関連付けられたテキスト情報からオノマトペを抽出するオノマトペ抽出手段の抽出結果に基づいて、前記画像に関連付けて表示すべきオノマトペを取得するオノマトペ取得ステップと、前記画像を含む画面を表示手段に表示させるステップであって、前記オノマトペ取得ステップによって取得されたオノマトペを前記画像に関連付けて表示させる表示制御ステップと、を含む。【０００８】
また、本発明に係るプログラムは、画像に関連付けられたテキスト情報からオノマトペを抽出するオノマトペ抽出手段の抽出結果に基づいて、前記画像に関連付けて表示すべきオノマトペを取得するオノマトペ取得手段、及び、前記画像を含む画面を表示手段に表示させる手段であって、前記オノマトペ取得手段によって取得されたオノマトペを前記画像に関連付けて表示させる表示制御手段、としてコンピュータを機能させるためのプログラムである。【０００９】
また、本発明に係る情報記憶媒体は、画像に関連付けられたテキスト情報からオノマトペを抽出するオノマトペ抽出手段の抽出結果に基づいて、前記画像に関連付けて表示すべきオノマトペを取得するオノマトペ取得手段、及び、前記画像を含む画面を表示手段に表示させる手段であって、前記オノマトペ取得手段によって取得されたオノマトペを前記画像に関連付けて表示させる表示制御手段、としてコンピュータを機能させるためのプログラムとしてコンピュータ読み取り可能な情報記憶媒体である。【００１０】
また、本発明の一態様では、前記画面は複数の画像を含み、前記オノマトペ取得手段は、前記複数の画像のうちの一の画像に関連付けられたテキスト情報と、前記複数の画像のうちの他の画像に関連付けられたテキスト情報とに基づいて取得される、前記一の画像の被写体特有の特徴を示すオノマトペを、前記一の画像に関連付けて表示すべきオノマトペとして取得する手段を含むようにしてもよい。【００１１】
また、本発明の一態様では、前記オノマトペ取得手段は、前記一の画像に関連付けられたテキスト情報と、前記他の画像に関連付けられたテキスト情報との比較結果に基づいて取得される、前記他の画像の被写体に対する前記一の画像の被写体の相対的な特徴を示すオノマトペを、前記一の画像に関連付けて表示すべきオノマトペとして取得する手段を含むようにしてもよい。【００１２】
また、本発明の一態様では、前記オノマトペ取得手段は、前記一の画像に関連付けられたテキスト情報と、前記一の画像の被写体と同一又は類似の被写体が写っている前記他の画像に関連付けられたテキスト情報とに基づいて取得される、前記一の画像の被写体と前記他の画像の被写体とに共通的な特徴を示すオノマトペを、前記一の画像に関連付けて表示すべきオノマトペとして取得する手段を含むようにしてもよい。【００１３】
また、本発明の一態様では、前記テキスト情報には複数の個別テキスト情報が含まれ、前記複数の個別テキスト情報の各々には、前記画像の被写体に関する評価を示す評価情報が関連付けられており、前記オノマトペ取得手段は、前記画像に関連付けられた前記複数の個別テキスト情報のうちの、所定の評価基準を満足する前記評価情報が関連付けられた個別テキスト情報から抽出されたオノマトペを、前記画像に関連付けて表示すべきオノマトペとして取得するようにしてもよい。【００１４】
また、本発明の一態様では、前記画面は複数の画像を含み、前記表示制御手段は、前記複数の画像のうちの少なくとも一つを、オノマトペ表示の対象として設定し、前記対象として設定されている画像に関連付けて、当該画像に関連付けて表示すべきオノマトペとして前記オノマトペ取得手段によって取得されたオノマトペを表示し、前記表示制御手段は前記対象を前記複数の画像のうちで次々と変えるようにしてもよい。【００１５】
また、本発明の一態様では、前記表示制御手段は、前記複数の画像のうちの一の画像が前記対象として設定されている場合、前記一の画像の次の前記対象として、前記一の画像付近に表示されている少なくとも一つの画像を設定するようにしてもよい。【００１６】
また、本発明の一態様では、前記表示制御手段は、前記複数の画像のうちの一の画像が前記対象として設定される期間の少なくとも一部と、前記一の画像と所定の位置関係を有する画像が前記対象として設定される期間の少なくとも一部とが重複しないように制御するようにしてもよい。【００１７】
また、本発明の一態様では、前記表示制御手段は、前記オノマトペを前記画像に関連付けて表示する場合の当該オノマトペの表示態様を、当該画像に関連付けられたテキスト情報における当該オノマトペの出現回数に関する情報に基づいて設定する手段を含み、前記表示制御手段は、前記複数の画像のうちから複数の画像を前記対象として設定する場合、所定の第１の表示態様でオノマトペが表示されることになる画像と、前記第１の表示態様よりも目立つ表示態様である所定の第２の表示態様でオノマトペが表示されることになる画像とを前記対象として設定するようにしてもよい。【００１８】
また、本発明の一態様では、前記表示制御手段は、前記画像にユーザの注目を引きつけるための処理を実行する手段と、前記処理の実行中又は前記処理の実行後に前記オノマトペを前記画像に関連付けて表示する手段と、を含むようにしてもよい。【００１９】
また、本発明の一態様では、前記表示制御手段は、前記オノマトペが前記画像に関連付けて表示されている間、又は、前記画像に関連付けて表示される前記オノマトペの表示が終了した後に、前記画像にユーザの注目を引きつけるための処理を実行する手段を含むようにしてもよい。【００２０】
また、本発明の一態様では、前記オノマトペ取得手段は、前記画像と前記画像に関連付けられたテキスト情報との両方に含まれているオノマトペを、前記画像に関連付けて表示すべきオノマトペとして取得しないようにしてもよい。【００２１】
また、本発明の一態様では、前記画面には、検索条件を満足する被写体が写っている前記画像が表示され、前記オノマトペ取得手段は、前記画像に関連付けられたテキスト情報と前記検索条件との両方に含まれるオノマトペを、前記画像に関連付けて表示すべきオノマトペとして取得しないようにしてもよい。【００２２】
また、本発明の一態様では、前記画像は商品又はサービスに関する画像であり、前記オノマトペ取得手段は、前記画像に関連付けられたテキスト情報に含まれるオノマトペのうちの、ユーザが過去に購入した商品又はサービスに関する画像に関連付けられたテキスト情報に含まれるオノマトペを、他のオノマトペよりも優先して、前記画像に関連付けて表示すべきオノマトペとして取得するようにしてもよい。【００２３】
また、本発明の一態様では、前記画像は商品又はサービスに関する画像であり、前記オノマトペ取得手段は、前記画像に関連付けられたテキスト情報に含まれるオノマトペのうちの、ユーザが過去に閲覧した商品又はサービスに関する画像に関連付けられたテキスト情報に含まれるオノマトペを、他のオノマトペよりも優先的して、前記画像に関連付けて表示すべきオノマトペとして取得するようにしてもよい。【００２４】
また、本発明の一態様では、前記画像は商品又はサービスに関する画像であり、前記表示制御手段は、前記オノマトペを前記画像に関連付けて表示する頻度又は時間を、前記商品又は前記サービスに関する情報と、前記商品又は前記サービスの提供者に関する情報との少なくとも一方に基づいて設定するようにしてもよい。【００２５】
また、本発明の一態様では、前記テキスト情報には複数の個別テキスト情報が含まれ、前記画面は、複数の画像のうちの少なくとも一つをユーザが選択するための第１の画面であり、前記表示制御手段は、前記第１の画面に表示される複数の画像のうちから前記ユーザによって選択された画像に関連付けられた複数の個別テキスト情報の全部又は一部を前記ユーザに提示するための第２の画面を前記表示手段に表示させる手段を含み、前記表示制御手段は、前記第１の画面に表示される複数の画像のうちから、前記オノマトペが関連付けて表示されている画像が前記ユーザによって選択された場合、前記第２の画面において、前記選択された画像に関連付けられた複数の個別テキスト情報のうちの、当該オノマトペを含む個別テキスト情報を、当該オノマトペを含まない個別テキスト情報とは区別して表示させる手段と、前記第１の画面に表示される複数の画像のうちから、前記オノマトペが関連付けて表示されている画像が前記ユーザによって選択された場合、前記第２の画面において、前記選択された画像に関連付けられた複数の個別テキスト情報のうちの、当該オノマトペを含む個別テキスト情報を、当該オノマトペを含まない個別テキスト情報よりも優先して表示させる手段と、の少なくとも一方を含むようにしてもよい。
【発明の効果】
【００２６】
本発明によれば、画面に表示される画像を閲覧しているユーザが画像の被写体の感覚的特徴を把握できるように補助することが可能になる。
【図面の簡単な説明】
【００２７】
【図１】電子商取引システムの全体構成の一例を示す図である。
【図２】一覧画面の一例を示す図である。
【図３】商品画面の一例を示す図である。
【図４】電子商取引システムが備える機能について説明するための図である。
【図５】電子商取引システムが備える機能について説明するための図である。
【図６】電子商取引システムで実現される機能の一例を示す機能ブロック図である。
【図７】ユーザ情報テーブルの一例を示す図である。
【図８】店舗情報テーブルの一例を示す図である。
【図９】商品基本情報テーブルの一例を示す図である。
【図１０】商品情報テーブルの一例を示す図である。
【図１１】取引履歴情報テーブルの一例を示す図である。
【図１２】コメント情報テーブルの一例を示す図である。
【図１３】抽出結果テーブルの一例を示す図である。
【図１４】電子商取引システムで実行される処理の一例を示す図である。
【図１５】電子商取引システムで実行される処理の他の一例を示す図である。
【図１６】電子商取引システムで実行される処理の他の一例を示す図である。
【図１７】対応関係情報の一例を示す図である。
【図１８】一覧画面の他の一例を示す図である。
【図１９】一覧画面の他の一例を示す図である。
【図２０】一覧画面の他の一例を示す図である。
【図２１】オノマトペの検出結果の一例を示す図である。
【図２２】オノマトペの検出結果の他の一例を示す図である。
【図２３】商品画面の他の一例を示す図である。
【発明を実施するための形態】
【００２８】
以下、本発明の実施形態の例について図面に基づき詳細に説明する。以下では、複数の店舗が出店する仮想商店街を実現する電子商取引システムに本発明を適用した場合の例について説明する。すなわち、本発明の実施形態に係る表示制御装置を電子商取引システムにおいて実現した場合の例について説明する。
【００２９】
図１は電子商取引システム１の全体構成の一例を示す。図１に示すように、電子商取引システム１はサーバ１０、データベース１５、ユーザ端末２０（表示制御装置）、及び店舗端末４を含む。サーバ１０、ユーザ端末２０、及び店舗端末４は、例えばインターネット等を含んで構成される通信ネットワーク２に接続されている。サーバ１０とユーザ端末２０との間で相互にデータ通信が可能であり、サーバ１０と店舗端末４との間でも相互にデータ通信が可能である。
【００３０】
サーバ１０は仮想商店街のポータルとして機能するサーバである。図１に示すように、サーバ１０は制御部１１、記憶部１２、通信部１３、及び光ディスクドライブ部１４を含む。制御部１１は１又は複数のマイクロプロセッサを含み、記憶部１２（メモリ）に記憶されたプログラムに従って情報処理を実行する。記憶部１２は主記憶部（例えばＲＡＭ等）及び補助記憶部（例えばＲＯＭ、ハードディスクドライブ、又はソリッドステートドライブ等）を含む。通信部１３は通信ネットワーク２を介してデータ通信を行うためのものである。
【００３１】
光ディスクドライブ部１４は、光ディスク（情報記憶媒体）に記録されたプログラム又はデータを読み出すためのものである。光ディスクに記憶されたプログラム及びデータが光ディスクドライブ部１４によって読み出され、記憶部１２に記憶される。
【００３２】
なお、サーバ１０は、光ディスク以外の情報記憶媒体（例えばメモリカード）に記憶されたプログラム又はデータを読み出すための構成要素（例えばメモリカードスロット部）を含むようにしてもよい。そして、光ディスク以外の情報記憶媒体を介してプログラム及びデータが記憶部１２に供給されるようにしてもよい。また、プログラム及びデータは通信ネットワーク２を介して記憶部１２に供給されるようにしてもよい。
【００３３】
サーバ１０はデータベース１５（記憶装置）にアクセスできるようになっている。データベース１５はサーバ１０とは別のサーバ内に含まれていてもよいし、サーバ１０内に含まれていてもよい。データベース１５に記憶されるデータに関しては後述する。
【００３４】
ユーザ端末２０はユーザによって使用される情報処理装置である。例えば、ユーザ端末２０は携帯電話（スマートフォンを含む）、タブレット型コンピュータ、ラップトップ型コンピュータ、又はデスクトップ型コンピュータ等である。
【００３５】
図１に示すように、ユーザ端末２０は制御部２１、記憶部２２、通信部２３、操作部２４、表示部２５、及び音声出力部２６を含む。制御部２１、記憶部２２、及び通信部２３はサーバ１０の制御部１１、記憶部１２、及び通信部１３と同様である。
【００３６】
プログラム及びデータは通信ネットワーク２を介して記憶部２２に供給される。なお、ユーザ端末２０は、情報記憶媒体（例えば光ディスク又はメモリカード等）に記憶されたプログラム又はデータを読み出すための構成要素（例えば光ディスクドライブ部又はメモリカードスロット部等）を含むようにしてもよい。そして、情報記憶媒体（例えばメモリカード）を介してプログラムやデータが記憶部２２に供給されるようにしてもよい。
【００３７】
操作部２４はユーザが操作を行うためのものである。例えば、マウス、スティック、タッチパッド、又は表示部２５の上に重ねて設けられるタッチパネル等のポインティングデバイスが操作部２４に相当する。
【００３８】
表示部２５は例えば液晶ディスプレイ又は有機ＥＬディスプレイ等であり、各種画面を表示する。音声出力部２６は例えばスピーカー又はヘッドホン等であり、各種音声を出力する。
【００３９】
店舗端末４は、仮想商店街に出店する店舗に設けられた情報処理装置であり、仮想商店街で販売する商品に関するデータをデータベース１５に登録するために用いられる。例えば、店舗端末４はタブレット型コンピュータ、ラップトップ型コンピュータ、又はデスクトップ型コンピュータ等であり、ユーザ端末２０と同様のハードウェア構成を有する。
【００４０】
例えば、サーバ１０ではデーモンプログラム（例えばＨＴＴＰデーモン）が実行される。また、ユーザ端末２０ではプログラム（例えばウェブブラウザ）が起動され、処理要求（例えばＨＴＴＰリクエスト）がサーバ１０に送信される。この場合、上記の処理要求に対応する処理結果（例えばＨＴＴＰレスポンス）がサーバ１０からユーザ端末２０に送信される。例えば、ページ記述言語で記述されたデータがユーザ端末２０に送信される。そして、このデータに基づいて、処理結果に基づく画面がユーザ端末２０の表示部２５に表示される。なお、店舗端末４とサーバ１０との間でも同様の処理が行われる。
【００４１】
以下、仮想商店街を利用する場合にユーザ端末２０の表示部２５に表示される画面について説明する。以下に説明する画面は、ユーザ端末２０とサーバ１０との間でデータ通信が実行されることによって表示される。
【００４２】
仮想商店街を利用する場合、ユーザはユーザ端末２０を用いてサーバ１０にアクセスする。例えば、ユーザはキーワードを指定して商品を検索することによって所望の商品を探す。図２は検索条件を満足する商品の一覧を示す一覧画面の一例を示す。
【００４３】
図２に示す一覧画面３０はキーワード欄３２及び検索ボタン３４を含む。キーワード欄３２には商品を検索するためのキーワードが入力される。図２に示す一覧画面３０では、一つのキーワード「ケーキ」がキーワード欄３２に入力されている。
【００４４】
検索ボタン３４が押下されると、検索処理が実行され、検索条件を満足する商品の一覧が一覧画面３０に表示される。例えば、キーワード欄３２に入力されたキーワードが商品のタイトル、カテゴリー、又は商品ページに含まれている商品の一覧が一覧画面３０に表示される。図２に示す一覧画面３０では商品画像３６の一覧が行列状に表示されており、商品に関するテキスト情報（例えばタイトルや価格等）が省略されている。なお、商品に関するテキスト情報（例えばタイトルや価格等）も一覧画面３０に表示されるようにしてもよい。
【００４５】
商品画像３６は各店舗によって予め登録された画像である。店舗は商品の製造元によって提供される画像を商品画像３６として利用する場合がある。仮想商店街では同一商品が複数の店舗で販売される場合があるが、同一商品の商品画像３６は同一又は類似の画像になっていることが多い。ただし、商品画像３６は各店舗によって登録されるため、同一商品の商品画像３６が同一又は類似の画像になっていない場合もある。また、「送料無料」等の文字列が商品画像３６に付け加えられている場合もある。
【００４６】
ユーザがいずれかの商品画像３６を選択した場合、その商品画像３６に関する商品画面がユーザ端末２０の表示部２５に表示される。図３は商品画面の一例を示す。図３に示すように、商品画面４０は商品画像４２、説明文４４、選択欄４６、及び購入ボタン４８を含む。説明文４４は店舗によって作成された商品の説明文である。ユーザが商品の個数を選択欄４６で選択し、購入ボタン４８を押下すると、商品の購入処理が実行される。
【００４７】
また、商品画面４０はコメント欄５０を含む。電子商取引システム１では、商品の購入者が、実際に商品を体験（例えば使用又は飲食等）した際の感想をコメントとして登録できるようになっている。また商品の購入者は商品に対する評価をコメントとともに登録できるようになっている。
【００４８】
コメント欄５０には商品の購入者によって登録されたコメント５２が表示される。また、コメント欄５０では、商品に対する評価を示す評価マーク５４がコメント５２に関連付けて表示される。図３に示す例の場合、評価マーク５４は一又は複数の星マークを含み、星マークの数が多いほど、購入者が商品を高く評価していることを示す。
【００４９】
ユーザはコメント欄５０を頼りにして、商品を購入するか否かを決定することができる。なお、コメント欄５０を商品画面４０とは別個の画面に設けるようにし、商品画面４０にはその画面へのリンクを設けるようにしてもよい。
【００５０】
ところで、商品の購入者は、実際に商品を体験した際に感じた感覚（言い換えれば、実際に商品を体験したことによって分かった商品の特徴）をオノマトペを用いて他人に伝えようとする場合がある。このため、商品の購入者によって登録されたコメントにはオノマトペが含まれている場合がある。
【００５１】
ここで、「オノマトペ」とは広義の「オノマトペ」を意味しており、例えば擬態語及び擬音語を含む。なお、「擬態語」とは事物の状態や様子等を感覚的に表した語である。また、「擬音語」とは実際の音を文字で表した語である。図３に示す例の場合、「さくさく」や「ふわふわ」がオノマトペの一例に相当する。オノマトペは、実際に商品を体験した者だけが分かる商品の特徴を端的に示している。
【００５２】
例えば、ユーザは、コメント５２に含まれるオノマトペから、実際に商品を体験することによって感じることができる商品の特徴（言い換えれば、実際に商品を体験しなければ分からない商品の特徴）を知ることができる。以下では、このような商品の特徴のことを「商品の感覚的特徴」と記載する。
【００５３】
なお、ユーザは商品の外観的特徴を商品画像３６から把握することはできるが、商品の感覚的特徴を商品画像３６から把握することは困難である。この点、電子商取引システム１は、一覧画面３０に表示される商品画像３６を閲覧しているユーザが商品画像３６に写っている商品の感覚的特徴を把握できるように補助するための機能を備えている。図４及び図５はこの機能について説明するための図である。
【００５４】
一覧画面３０では、まず、一覧画面３０に表示されている商品画像３６のうちから少なくとも一つの商品画像３６が選出される。そして、図４に示すように、選出された商品画像３６が左又は右に傾けられる。その後、図５に示すように、商品の感覚的特徴を示すオノマトペを含む吹き出し３８が、傾けられた商品画像３６に関連付けて表示される。例えば、商品の購入者のコメントから抽出されたオノマトペが吹き出し３８内に表示される。所定時間が経過すると、吹き出し３８は消去され、傾けられた商品画像３６は元の状態（正立状態）に戻る。その後、同様の処理が再び実行される。このようにして、次々と、オノマトペを含む吹き出し３８が一覧画面３０に表示される。ユーザから見ると、各商品画像３６が自らの感覚的特徴を次々と主張しているように見える。
【００５５】
なお、図５に示す一覧画面３０では、吹き出し３８が他の商品画像３６上に表示されないようになっているが、吹き出し３８は一定時間が経過した後で消えるため、他の商品画像３６上に表示されても特に問題はない。
【００５６】
また、一覧画面３０がスクロール可能になっている場合には、表示部２５に実際に表示されている商品画像３６に関するオノマトペが表示される。なお、ユーザが一覧画面３０がスクロールしている間にはオノマトペの表示を停止するようにすると好適である。
【００５７】
電子商取引システム１によれば、ユーザは吹き出し３８内のオノマトペを参照することによって、商品画像３６に写っている商品の感覚的特徴を把握することができる。すなわち、ユーザは、商品画像３６から把握することが困難な商品の感覚的特徴を吹き出し３８から把握することができる。ユーザは商品画面４０まで画面遷移することなく、一覧画面３０において商品の感覚的特徴を把握することができる。
【００５８】
また、電子商取引システム１では、商品画像３６が左右に傾けられた後に吹き出し３８が商品画像３６に関連付けて表示される。このようにすることによって、吹き出し３８が関連付けて表示される商品画像３６にユーザの注目を引きつけることが可能になり、ユーザが吹き出し３８内のオノマトペを見るように促すことが可能になる。
【００５９】
以下、以上に説明した機能を実現するための構成について説明する。図６は、電子商取引システム１で実現される機能ブロックを示す機能ブロック図である。図６に示すように、電子商取引システム１はデータ記憶部６０、オノマトペ抽出部６２（オノマトペ抽出手段）、オノマトペ取得部６４（オノマトペ取得手段）、及び表示制御部６６（表示制御手段）を含む。
【００６０】
まず、データ記憶部６０について説明する。例えば、データ記憶部６０はデータベース１５（記憶装置）によって実現される。なお、データ記憶部６０は複数のデータベース（複数の記憶装置）によって実現されるようにしてもよい。すなわち、データ記憶部６０に記憶されることとして説明するデータは複数のデータベース（複数の記憶装置）に分散して記憶されるようにしてもよい。
【００６１】
データ記憶部６０は各種データを記憶する。図７〜図１３はデータ記憶部６０に記憶されるデータの一例を示す。
【００６２】
図７はユーザ情報テーブルの一例を示す。ユーザ情報テーブルは仮想商店街を利用するユーザに関する情報を示す。図７に示すユーザ情報テーブルは「ユーザＩＤ」、「ユーザ名」、「住所」、及び「メールアドレス」フィールドを含む。なお、「ユーザＩＤ」フィールドはユーザを一意に識別するための識別情報を示す。
【００６３】
図８は店舗情報テーブルの一例を示す。店舗情報テーブルは仮想商店街に出店している店舗に関する情報を示す。図８に示す店舗情報テーブルは「店舗ＩＤ」、「店舗名」、及び「メールアドレス」フィールドを含む。なお、「店舗ＩＤ」フィールドは店舗を一意に識別するための識別情報を示す。
【００６４】
図９は商品基本情報テーブルの一例を示す。商品基本情報テーブルは商品の基本情報を示す。図９に示す商品基本情報テーブルは「固有商品ＩＤ」、「タイトル」、及び「カテゴリー」フィールドを含む。「固有商品ＩＤ」フィールドは商品に固有な識別情報を示す。同一商品には同一の固有商品ＩＤが付される。「タイトル」フィールドは商品のタイトル（名称）を示し、「カテゴリー」フィールドは商品が属するカテゴリーを示す。
【００６５】
図１０は商品情報テーブルの一例を示す。商品情報テーブルは各店舗で販売されている商品の情報を示す。図１０に示す商品情報テーブルは「商品ＩＤ」、「店舗ＩＤ」、「固有商品ＩＤ」、「価格」、「商品画像」、及び「商品ページ」フィールドを含む。
【００６６】
「商品ＩＤ」フィールドは、各店舗で販売される商品を一意に識別するための識別情報を示す。同一商品であっても、販売する店舗が異なれば、異なる商品ＩＤが付与される。なお以下では、例えば、商品ＩＤが「Ｐ１」である商品のことを「商品Ｐ１」のように記載する。
【００６７】
「店舗ＩＤ」フィールドは、商品を販売する店舗の店舗ＩＤを示す。「固有商品ＩＤ」フィールドは、店舗で販売される商品の固有商品ＩＤを示す。「価格」フィールドは、店舗によって登録された商品の販売価格を示す。「商品画像」フィールドは、店舗によって登録された商品画像へのリンク情報（例えばファイル名や保存場所等）を示す。「商品ページ」フィールドは、店舗によって登録された商品ページへのリンク情報を示す。
【００６８】
図１１は取引履歴情報テーブルの一例を示す。取引履歴情報テーブルは仮想商店街で行われた取引の履歴を示す。図１１に示す取引履歴情報テーブルは「取引ＩＤ」、「日時」、「販売店舗」、「購入者」、「商品」、及び「金額」フィールドを含む。「取引ＩＤ」フィールドは取引を一意に識別する識別情報を示す。「日時」フィールドは取引が行われた日時を示す。「販売店舗」フィールドは商品を販売した店舗を示し、「購入者」フィールドは商品を購入したユーザを示す。「商品」フィールドはユーザが購入した商品を示し、「金額」フィールドはユーザが支払った金額を示す。
【００６９】
図１２はコメント情報テーブルの一例を示す。コメント情報テーブルは商品の購入者によって登録されたコメントに関する情報を示す。図１２に示すコメント情報テーブルは「コメントＩＤ」、「登録者」、「商品」、「コメント」、及び「評価結果」フィールドを含む。「コメントＩＤ」フィールドはコメントの一意に識別するための識別情報を示す。「登録者」フィールドはコメントを登録したユーザを示し、「商品」フィールドはコメントの対象になっている商品を示す。「コメント」フィールドはユーザによって登録されたコメントを示す。「評価結果」フィールドはユーザが行った商品に対する評価結果を示す。例えば、５段階で表される評価点（例えば１〜５点）が「評価結果」フィールドに登録され、評価点が高いほど、評価が高いことを示す。なお、ユーザによって登録されたコメント及び評価結果は商品ＩＤを介して商品画像と関連付けられている（図１０及び図１２参照）。
【００７０】
オノマトペ抽出部６２について説明する。例えば、オノマトペ抽出部６２はサーバ１０によって実現される。なお、オノマトペ抽出部６２はユーザ端末２０によって実現されるようにしてもよい。
【００７１】
オノマトペ抽出部６２は、画像に関連付けられたテキスト情報からオノマトペを抽出する。例えば図２〜図５で示した例の場合、商品画像に関連付けて記憶されているコメント情報が「画像に関連付けられたテキスト情報」の一例に相当する。すなわち、オノマトペ抽出部６２は、商品画像に関連付けて記憶されているコメント情報からオノマトペを抽出する。
【００７２】
なお、商品のタイトルも「画像に関連付けられたテキスト情報」の一例に相当し得る。すなわち、オノマトペ抽出部６２は商品のタイトルからオノマトペを抽出するようにしてもよい。また、商品ページ内の文章（例えば商品の説明文）も「画像に関連付けられたテキスト情報」の一例に相当し得る。すなわち、オノマトペ抽出部６２は商品ページ内の文章（例えば商品の説明文）からオノマトペを抽出するようにしてもよい。
【００７３】
オノマトペの抽出方法の一例について説明する。例えば、オノマトペ抽出部６２は、オノマトペが有する共通的な特徴に基づいて、オノマトペの抽出を実行する。
【００７４】
例えば、日本語の場合、同じ文字列が二回繰り返されたようなオノマトペが多く存在する（例えば「ふわふわ」、「パサパサ」等）。このため、オノマトペ抽出部６２は、このような特徴を有する単語がテキスト情報に含まれているか否かを判定することによって、上記のような特徴を有する単語をオノマトペとしてテキスト情報から抽出する。より具体的には、例えば「ＡＢＡＢ」のようなパターンを予め定めておき、このようなパターンに適合した文字列をオノマトペとして抽出する。なお、ここで、「Ａ」及び「Ｂ」は互いに異なる一文字の平仮名又は片仮名を示している。
【００７５】
また例えば、日本語の場合、オノマトペには特定の文字が含まれていることが多い。例えば、小書き文字（拗音又は促音）がオノマトペに含まれていることが多い（例えば「しっとり」、「ずっしり」等）。このため、オノマトペ抽出部６２は、このような特徴を有する単語がテキスト情報に含まれているか否かを判定することによって、上記のような特徴を有する単語をオノマトペとしてテキスト情報から抽出する。より具体的には、例えば「ＡっＢり」のようなパターンを予め定めておき、このようなパターンに適合した文字列をオノマトペとして抽出する。なお、ここで、「Ａ」及び「Ｂ」は互いに異なる一文字の平仮名又は片仮名を示す。また、「っ」は小書き文字である。「っ」や「り」は平仮名であってもよいし、片仮名であってもよい。
【００７６】
ところで、上記のような抽出方法では、オノマトペでない単語が誤ってオノマトペとして抽出されてしまう可能性がある。このため、オノマトペでないにもかかわらず、オノマトペとして誤って抽出されてしまう可能性がある単語のリスト（ストップワードリスト）をデータ記憶部６０に記憶しておくようにしてもよい。そして、オノマトペ抽出部６２は、ストップワードリストに登録されている単語をオノマトペとして抽出しないようにしてもよい。
【００７７】
また、日本語の場合、同一のオノマトペが異なる種類の文字（平仮名又は片仮名）で表される場合がある。このため、文字の種類のみが異なるオノマトペを同一のオノマトペとみなすようにしてもよい。また、オノマトペをオノマトペの前又は後の語句とともに抽出するようにしてもよい。
【００７８】
なお、オノマトペの抽出方法は上記に説明した例に限られない。例えば、オノマトペ抽出部６２は、オノマトペの一覧を示す一覧データ（言い換えれば、オノマトペの辞書データ）に基づいて、オノマトペの抽出を実行するようにしてもよい。すなわち、オノマトペ抽出部６２は、一覧データに登録されたオノマトペがテキスト情報に含まれている否かを判定することによって、オノマトペをテキスト情報から抽出するようにしてもよい。
【００７９】
オノマトペ抽出部６２の抽出結果はデータ記憶部６０に保存される。図１３は、データ記憶部６０に記憶される抽出結果テーブルの一例を示す。抽出結果テーブルは、オノマトペ抽出部６２の抽出結果を示す。図１３に示す抽出結果テーブルは「商品ＩＤ」、「オノマトペ」、及び「出現回数」フィールドを含む。「商品ＩＤ」フィールドは商品情報テーブルと同様である。
【００８０】
「オノマトペ」フィールドはオノマトペ抽出部６２によって抽出されたオノマトペを示す。「出現回数」フィールドは、商品画像に関連付けられたコメント情報内においてオノマトペが出現した回数を示す。言い換えれば、「出現回数」フィールドは、商品画像に関連付けられたコメント情報内においてオノマトペが使用されている回数を示す。例えば図１３に示す例は、商品Ｐ１に関するコメント情報からオノマトペとして「さくさく」が抽出され、商品Ｐ１に関するコメント情報では「さくさく」が１０回使用されていることを示す。
【００８１】
オノマトペ取得部６４及び表示制御部６６について説明する。例えば、オノマトペ取得部６４及び表示制御部６６はユーザ端末２０によって実現される。なお、オノマトペ取得部６４及び表示制御部６６はサーバ１０によって実現されるようにしてもよい。
【００８２】
オノマトペ取得部６４は、オノマトペ抽出部６２の抽出結果に基づいて、画像に関連付けて表示すべきオノマトペを取得する。表示制御部６６は、画像を含む画面を表示部に表示させる。また、表示制御部６６は、オノマトペ取得部６４によって取得されたオノマトペを画像に関連付けて表示させる。
【００８３】
例えば、表示制御部６６は、複数の画像のうちの少なくとも一つをユーザが選択するための画面（以下「第１の画面」と記載する。）を表示部に表示させる。また、表示制御部６６は、第１の画面に表示される複数の画像のうちの少なくとも一つを、オノマトペ表示の対象として設定し、当該対象として設定されている画像に関連付けて、当該画像に関連するオノマトペとしてオノマトペ取得部６４によって取得されたオノマトペを表示する。表示制御部６６は、第１の画面に表示される複数の画像のうちで上記対象を次々と変えていく。
【００８４】
また例えば、表示制御部６６は、第１の画面に表示される複数の画像のうちからユーザによって選択された画像に関連付けられたテキスト情報の全部又は一部をユーザに提示するための画面（以下「第２の画面」と記載する。）を表示部に表示させる。例えば、画像に関連付けられたテキスト情報には複数の個別テキスト情報が含まれ、第２の画面には、ユーザによって選択された画像に関連付けられた複数の個別テキスト情報のうちの少なくとも一つが表示される。
【００８５】
例えば図２〜図５で示した例の場合、ユーザ端末２０の表示部２５が「表示部」の一例に相当する。また、商品画像３６が「画像」の一例に相当し、一覧画面３０が「第１の画面」の一例に相当する。さらに、商品に関する個々のコメントが「個別テキスト情報」の一例に相当し、商品画面４０が「第２の画面」の一例に相当する。
【００８６】
例えば、表示制御部６６は、一覧画面３０に表示されている商品画像３６の各々について、その商品画像３６をオノマトペ表示の対象として選出するか否かを所定の確率情報（例えば２０パーセント）に基づいて決定する。そして、表示制御部６６は、オノマトペ表示の対象として選出された商品画像３６に関連付けてオノマトペ（吹き出し３８）を表示させ、所定時間（例えば２〜３秒）が経過したら、そのオノマトペ（吹き出し３８）を一覧画面３０から消す。表示制御部６６はこのような処理を所定時間（例えば５秒）ごとに繰り返し実行する。
【００８７】
また例えば、表示制御部６６は、一覧画面３０に表示される商品画像３６にユーザの注目を引きつけるための処理を実行し、この処理の実行中又は実行後にオノマトペを商品画像３６に関連付けて表示する。
【００８８】
例えば図２〜図５で示した例の場合、商品画像３６を左又は右に傾ける処理が「画像にユーザの注目を引きつけるための処理」の一例に相当する。例えば図２〜図５で示した例の場合、表示制御部６６は商品画像３６を左又は右に傾け、その後に、傾けられた商品画像３６に関連付けてオノマトペ（吹き出し３８）を表示する（図４及び図５参照）。
【００８９】
「オノマトペを商品画像３６に関連付けて表示する」とは、例えば、オノマトペが商品画像３６に関連しているとユーザが一見して認識できるようにしてオノマトペを表示することである。例えば、下記のようにしてオノマトペを表示することが「オノマトペを商品画像３６に関連付けて出力する」ことの一例に相当する。
（ａ）オノマトペの少なくとも一部が商品画像３６上に重なるようにしてオノマトペを表示する。
（ｂ）オノマトペを商品画像３６の周辺（付近）に表示する。
（ｃ）商品画像３６の表示位置に基づいて設定される位置にオノマトペを表示する。
（ｄ）オノマトペと商品画像３６との関連付けを示すような線又は画像等をオノマトペとともに表示する。
【００９０】
例えば図５に示すように、表示制御部６６は、オノマトペを含む吹き出し３８を、吹き出し３８の少なくとも一部が商品画像３６上に重なるようにして表示する。例えば、表示制御部６６は、吹き出し３８の引き出し部分（吹き出しの足）が商品画像３６上に重なるようにして吹き出し３８を表示する。
【００９１】
なお、表示制御部６６は吹き出し３８を商品画像３６上に表示しないようにしてもよい。表示制御部６６は、吹き出し３８の引き出し部分が商品画像３６を指し示すようにして吹き出し３８を表示するようにしてもよい。すなわち、表示制御部６６は、吹き出し３８の引き出し部分が吹き出し３８の本体部分から商品画像３６への方向を示すようにして吹き出し３８を表示するようにしてもよい。
【００９２】
ところで、「画像にユーザの注目を引きつけるための処理」は画像を傾ける処理に限られない。例えば、画像を他の画像よりも目立たせるための処理が「画像にユーザの注目を引きつけるための処理」に相当する。例えば、下記に示すような処理が「画像にユーザの注目を引きつけるための処理」の一例に相当し得る。
（ａ）画像の表示態様を他の画像と変える処理（例えば、画像を点滅させる処理、画像の周囲に装飾を施す処理、又は画像を拡大・縮小する処理等）
（ｂ）画像を動かす処理（例えば、画像を左右に揺らす処理等）
【００９３】
例えば、表示制御部６６は商品画像３６を１〜２秒間点滅させ、その後、当該商品画像３６に関連付けて吹き出し３８を表示するようにしてもよい。また例えば、表示制御部６６は、商品画像３６を左右に揺らしている間に当該商品画像３６に関連付けて吹き出し３８を表示するようにしてもよい。または、表示制御部６６は、吹き出し３８を商品画像３６に関連付けて表示している間に商品画像３６を点滅させたり、揺らしたりするようにしてもよい。このようにすれば、ユーザはどの商品画像３６の吹き出し３８が表示されるのか、又は、どの商品画像３６の吹き出し３８が表示されているかを把握し易くなる。
【００９４】
なお、商品画像３６に関連付けて表示されている吹き出し３８が消去された後で、表示制御部６６は、当該商品画像３６にユーザの注目を引きつける処理を実行するようにしてもよい。このようにすれば、ユーザはどの商品画像３６の吹き出し３８が消えたのかを把握できるようになる。なお、吹き出し３８が消えた後でユーザがポインティングデバイスを用いて商品画像３６を指し示した場合には、吹き出し３８を再び表示するようにしてもよい。
【００９５】
次に、以上に説明した機能ブロックを実現するための処理について説明する。
【００９６】
図１４はオノマトペを抽出するための処理の一例を示す。例えば、図１４に示す処理は、商品に関するコメントが購入者によって新たに登録された場合に実行される。以下では、商品Ｐ１に関するコメントが新たに登録された場合を想定する。なお、サーバ１０の制御部１１が図１４に示す処理をプログラムに従って実行することによって、制御部１１がオノマトペ抽出部６２として機能するようになる。
【００９７】
図１４に示すように、まず、サーバ１０の制御部１１（オノマトペ抽出部６２）はコメント情報テーブルを参照し、商品Ｐ１に関連付けて登録されているコメント情報からオノマトペを抽出する（Ｓ１０１）。先述したように、オノマトペに共通する特徴に基づいて、制御部１１はオノマトペの抽出を実行する。あるいは、オノマトペの一覧データに基づいて、制御部１１はオノマトペの抽出を実行する。
【００９８】
ステップＳ１０１が実行された後、制御部１１はオノマトペの抽出結果をデータベース１５に保存する（Ｓ１０２）。例えば、制御部１１は検出結果テーブルにアクセスし、ステップＳ１０１で抽出されたオノマトペを商品Ｐ１に関連付けて登録する。
【００９９】
なお、制御部１１は図１４に示す処理を予め決められた日時に実行するようにしてもよい。例えば、制御部１１は、毎日の所定時刻に、その日に新たなコメントが登録された商品に関して、図１４に示す処理を実行するようにしてもよい。
【０１００】
図１５は、一覧画面３０の検索ボタン３４が押下された場合に実行される処理の一例を示す。例えば、ユーザ端末２０の制御部２１が図１５に示す処理をプログラムに従って実行することによって、制御部２１が表示制御部６６として機能するようになる。
【０１０１】
検索ボタン３４が押下された場合、図１５に示すように、ユーザ端末２０の制御部２１は一覧ページデータをサーバ１０に要求する（Ｓ２０１）。すなわち、制御部２１は、ユーザによって指定された検索条件（キーワード欄３２に入力されたキーワード）をサーバ１０に送信することによって、検索条件を満足する商品の一覧を示す一覧ページデータをサーバ１０に要求する。
【０１０２】
上記要求がサーバ１０で受信された場合、サーバ１０の制御部１１はデータベース１５にアクセスすることによって、検索条件を満足する商品の一覧を取得する（Ｓ２０２）。
【０１０３】
その後、制御部１１は抽出結果テーブルにアクセスし、ステップＳ２０２で取得された商品一覧に含まれる各商品のオノマトペデータを取得する（Ｓ２０３）。
【０１０４】
その後、制御部１１は、ステップＳ２０２で取得された商品一覧を示す一覧ページデータをユーザ端末２０に送信する（Ｓ２０４）。なお例えば、この一覧ページデータには、ステップＳ２０３で取得されたオノマトペデータや、このオノマトペデータに基づいて吹き出し３８を表示するための処理（後述の図１６参照）を実行するためのスクリプトプログラムが埋め込まれる。
【０１０５】
ユーザ端末２０の制御部２１（表示制御部６６）は一覧ページデータを受信し、一覧画面３０を表示部２５に表示する（Ｓ２０５）。
【０１０６】
なお、本実施形態では、オノマトペの抽出処理（図１４）が図１５に示す処理とは別個に実行されるようになっているが、オノマトペの抽出処理を図１５に示す処理において実行するようにしてもよい。例えば、オノマトペの抽出処理を図１５に示すステップＳ２０３において実行するようにしてもよい。
【０１０７】
図１６は、一覧画面３０が表示されている間にユーザ端末２０で実行される処理の一例を示す。例えば、図１６に示す処理は、図１５のステップＳ２０４で受信された一覧ページデータに含まれるスクリプトプログラムに基づいて実行される。ユーザ端末２０の制御部２１が図１６に示す処理をプログラムに従って実行することによって、制御部２１がオノマトペ取得部６４及び表示制御部６６として機能するようになる。
【０１０８】
なお、図１６に示す処理は、一覧画面３０が表示されてから所定時間（例えば３秒）が経過した後で実行するのが好適である。一覧画面３０が表示されると同時に吹き出し３８が表示されてしまうと、ユーザが戸惑ってしまうおそれがあるからである。
【０１０９】
図１６に示すように、まず、制御部２１は、一覧画面３０に表示されている商品画像３６のうちから、オノマノペ表示の対象とする商品画像３６を選出する（Ｓ３０１）。すなわち、制御部２１は、後述の処理（ステップＳ３０２〜Ｓ３０６）の対象とする商品画像３６を選出する。
【０１１０】
例えば、制御部２１は、一覧画面３０に表示されている商品画像３６のうちの少なくとも一つを上記対象としてランダムに選出する。例えば、制御部２１は、一覧画面３０に表示されている商品画像３６の各々について、その商品画像３６を上記対象として選出するか否かを所定の確率情報に基づいて決定する。この場合の確率情報は、上記対象として選出される確率が所定の確率（例えば２０パーセント）となるように設定される。
【０１１１】
なお、制御部２１は一覧ページデータに埋め込まれたオノマトペデータを参照し、オノマトペの数が零である商品画像３６（すなわち、オノマトペが抽出されなかった商品画像３６）を処理対象として選出しないようにするとよい。また、多くの商品画像３６が上記対象として選出されてしまわないように担保すべく、上記対象として選出可能な商品画像３６の上限数（例えば５個）を設定するようにしてもよい。
【０１１２】
ステップＳ３０１が実行された後、制御部２１（オノマトペ取得部６４）は、ステップＳ３０１で選出された商品画像３６に関連付けて表示すべきオノマトペを取得する（Ｓ３０２）。
【０１１３】
例えば、ステップＳ３０１で選出された商品画像３６が商品Ｐ１の商品画像３６である場合、制御部２１は一覧ページデータに埋め込まれたオノマトペデータに基づいて、商品Ｐ１に関連付けられたオノマトペを取得する。
【０１１４】
なお、複数のオノマトペが商品Ｐ１に関連付けられている場合、制御部２１はそれら複数のオノマトペのうちのいずれかを選択する。例えば、制御部２１は最も出現回数が多いオノマトペを選択する。または、制御部２１は複数のオノマトペのうちのいずれかを確率情報に基づいて選択するようにしてもよい。この場合の確率情報は、出現回数が多いオノマトペが選択される確率が出現回数が少ないオノマトペが選択される確率よりも高くなるように設定されるようにしてもよい。
【０１１５】
ステップＳ３０２が実行された後、制御部２１（表示制御部６６）は、ステップＳ３０１で選出された商品画像３６を左又は右に傾ける（Ｓ３０３）。その後、制御部２１（表示制御部６６）は、ステップＳ３０２で取得されたオノマトペを含む吹き出し３８を、ステップＳ３０３で傾けた商品画像３６に関連付けて表示する（Ｓ３０４）。
【０１１６】
ステップＳ３０４が実行された後、制御部２１は、吹き出し３８が表示されてから基準表示時間が経過したか否かを監視する（Ｓ３０５）。ここで、「基準表示時間」は、ユーザは吹き出し３８内のオノマトペを十分に視認できるような時間（例えば１秒〜５秒程度）に設定される。
【０１１７】
基準表示時間が経過したと判定された場合、制御部２１は、ステップＳ３０４で表示された吹き出し３８を一覧画面３０から消去し、ステップＳ３０３で傾けられた商品画像３６を元の状態（正立状態）に戻す（Ｓ３０６）。
【０１１８】
その後、制御部２１は図１６に示す処理を最初から再実行する。なお、この場合、一覧画面３０に表示された吹き出し３８が消えた後で新たな吹き出し３８を表示することになるが、吹き出し３８が消える直前に新たな吹き出し３８を表示するようにしてもよい。
【０１１９】
なお、図１６のステップＳ３０１，Ｓ３０２では、同一のオノマトペが一覧画面３０に同時期に表示されることがないように、商品画像３６の選出やオノマトペの取得を実行するようにしてもよい。
【０１２０】
また、図１５のステップＳ２０４では、オノマノペ自体を示すデータを一覧ページデータに含めるのではなく、オノマノペの有無のみを示すデータを一覧ページデータに含めるようにしてもよい。そして、図１６のステップＳ３０２では、制御部２１はオノマトペをサーバ１０に要求するようにしてもよい。この場合、ステップＳ３０２で制御部２１が実行することとして先述した処理と同様の処理がサーバ１０で実行され、サーバ１０からユーザ端末２０にオノマトペが返信される。そして、制御部２１はサーバ１０から返信されるオノマトペを取得する。なお、サーバ１０から返信されたオノマトペはユーザ端末２０でキャッシュされる。
【０１２１】
また、図１５のステップＳ２０４では、オノマノペ自体を示すデータを一覧ページデータに含めないようにし、図１６のステップＳ３０２において、制御部２１はオノマトペをサーバ１０に要求するようにしてもよい。この場合にも、ステップＳ３０２で制御部２１が実行することとして先述した処理と同様の処理がサーバ１０で実行され、サーバ１０からユーザ端末２０にオノマトペが返信される。そして、制御部２１はサーバ１０から返信されるオノマトペを取得する。ただし、この場合、ステップＳ３０１において、オノマトペの数が零である商品画像３６がオノマトペ表示の対象として選出されてしまうおそれがある。そこで、ステップＳ２０４でオノマトペの有無を示すデータを一覧ページデータに含めて提供し、オノマトペ表示の対象の商品画像３６を選出する際に、オノマトペが無い商品画像３６を選出対象から除くように制御する。
【０１２２】
以上に説明した電子商取引システム１の一覧画面３０では、商品画像３６に関連付けられたコメント情報から抽出されたオノマトペが当該商品画像３６に関連付けて表示される。オノマトペは実際に商品を体験した者だけが分かる商品の感覚的特徴を端的に示しているため、電子商取引システム１によれば、商品画像３６を閲覧しているユーザは、商品画像３６から把握することが困難な商品の感覚的特徴を把握することができる。ユーザは、商品画面４０まで画面遷移することなく、一覧画面３０において商品の感覚的特徴を把握することができる。
【０１２３】
また、電子商取引システム１では、商品画像３６が左右に傾けられた後にオノマトペが商品画像３６に関連付けて表示される。電子商取引システム１によれば、オノマトペが関連付けて表示される商品画像３６にユーザの注目を引きつけることが可能になり、ユーザがオノマトペを見るように促すことが可能になる。
【０１２４】
なお、本発明は以上に説明した実施形態に限定されるものではない。
【０１２５】
［１］例えば、商品を高く評価したユーザ（購入者）のコメント（レビュー）のみを考慮し、商品を低く評価したユーザのコメントを考慮しないようにしてもよい。
【０１２６】
先述したように、コメントには、コメントを入力したユーザが商品（商品画像の被写体）に与えた評価を示す評価情報が関連付けられている。このため、この変形例におけるオノマトペ取得部６４は、所定の評価基準を満足する評価情報が関連付けられたコメントから抽出されたオノマトペを、画像に関連付けて表示すべきオノマトペとして取得する。
【０１２７】
上記のように、コメントに関連付けられた評価情報は、コメントを入力したユーザが商品に与えた評価を示す情報であるため、「所定の評価基準を満足する評価情報が関連付けられたコメント」とは、所定の評価基準を満足する評価を商品に与えたユーザが入力したコメントと言い換えることができる。
【０１２８】
また、「所定の評価基準」とは、例えば、評価点が閾値（例えば４点）以上であるか否かの基準である。この場合、「所定の評価基準が満足する評価情報が関連付けられたコメント」とは、閾値以上の評価点が関連付けられたコメントであり、言い換えれば、閾値以上の評価点を商品に与えたユーザが入力したコメントである。
【０１２９】
または、「所定の評価基準」とは、例えば、評価点の降順（評価点の高いものから低いものへの順序）でコメントをソートした場合の順序が第ｎ（ｎ：正の整数）番目以内であるか否かの基準であってもよい。この場合、「所定の評価基準が満足する評価情報が関連付けられたコメント」とは、第１番目〜第ｎ番目に高い評価点が関連付けられたコメントであり、言い換えれば、第１番目〜第ｎ番目に高い評価点を商品に与えたユーザが入力したコメントである。
【０１３０】
例えば、オノマトペ抽出部６２が、所定の評価基準を満足する評価情報が関連付けられたコメントからオノマトペを抽出するようにしてもよい。言い換えれば、オノマトペ抽出部６２は、所定の評価基準を満足しない評価情報が関連付けられたコメントからオノマトペを抽出しないようにしてもよい。その結果として、オノマトペ取得部６４が、所定の評価基準を満足する評価情報が関連付けられたコメントから抽出されたオノマトペを、画像に関連付けて表示すべきオノマトペとして取得するようにしてもよい。
【０１３１】
以上のようにすれば、所定の評価基準を満足する評価情報が関連付けられたコメント（すなわち、商品に高い評価を与えたユーザが入力したコメント）のみが考慮され、所定の評価基準を満足しない評価情報が関連付けられたコメント（すなわち、商品に低い評価を与えたユーザが入力したコメント）が考慮されないようになる。商品に高い評価を与えたユーザが入力したコメントには、商品の感覚的特徴を肯定的に示すオノマトペ（すなわち、商品の優れた特徴を示すオノマトペ）が含まれている可能性が高い。一方、商品に低い評価を与えたユーザが入力したコメントには、商品の感覚的特徴を否定的に示すオノマトペが含まれている可能性が高い。商品を販売する店舗にとっては、商品の感覚的特徴を肯定的に示すオノマトペが商品画像３６に関連付けて表示される方が好ましい。この点、以上のようにすれば、商品の感覚的特徴を肯定的に示すオノマトペが商品画像３６に関連付けて表示される可能性を高めることが可能になる。
【０１３２】
［２］例えば、互いに離れた商品画像３６の間でオノマトペ表示の対象が切り替わると、ユーザが注目すべき位置が大きく変化することになるため、ユーザにとって一覧画面３０が見難くなってしまうおそれがある。このため、互いに離れた商品画像３６の間でオノマトペ表示の対象が切り替わることを抑制するようにしてもよい。
【０１３３】
この変形例における表示制御部６６は下記のような制御を実行する。例えば、一の商品画像３６（ここでは便宜上「商品画像Ｘ」と記載する。）がオノマトペ表示の対象として設定されている場合、表示制御部６６は、商品画像Ｘの次のオノマトペ表示の対象として、商品画像Ｘ付近（周辺）に表示されている少なくとも一つの商品画像３６を設定する。例えば、表示制御部６６は、商品画像Ｘに隣接している商品画像３６のうちの少なくとも一つを、オノマトペ表示の対象として新たに設定する。
【０１３４】
以上のようにすれば、互いに離れた商品画像３６の間でオノマトペ表示の対象が切り替わることを抑制することが可能になり、ユーザにとって一覧画面３０が見易くなるようにすることが可能になる。
【０１３５】
［３］例えば、一覧画面３０において複数のオノマノペが密集して表示されてしまうと、ユーザがオノマノペを見難くなってしまうおそれがあるため、一覧画面３０において複数のオノマトペが密集して表示されないように担保するようにしてもよい。
【０１３６】
この変形例における表示制御部６６は、一の商品画像３６（ここでは便宜上「商品画像Ｘ」と記載する。）に関連付けてオノマトペが表示される期間の少なくとも一部と、商品画像Ｘと所定の位置関係を有する商品画像３６に関連付けてオノマトペが表示される期間の少なくとも一部とが重複しないように制御する。
【０１３７】
「商品画像Ｘと所定の位置関係を有する商品画像３６」とは、例えば、商品画像Ｘの付近（周辺）に表示されている商品画像３６である。または、「商品画像Ｘと所定の位置関係を有する商品画像３６」とは、例えば、商品画像Ｘと同じ列又は行に表示されている商品画像３６である。
【０１３８】
以上のようにすれば、複数のオノマトペが密集して表示されてしまわないように担保することが可能になり、ユーザがオノマトペを見易くなるようにすることが可能になる。
【０１３９】
［４］例えば、オノマトペの表示態様をオノマトペごとに設定するようにしてもよい。
【０１４０】
この変形例における表示制御部６６は、一の商品画像３６（ここでは便宜上「商品画像Ｘ」と記載する。）に関連付けて表示されるオノマトペ（ここでは便宜上「オノマトペＸ」と記載する。）の表示態様を、商品画像Ｘに関連付けられたコメント情報におけるオノマトペＸの出現回数に関する情報に基づいて変える。例えば、表示制御部６６は、オノマトペＸの出現回数が多いほど、オノマトペＸを目立たせる。
【０１４１】
例えば、下記のようなことが「オノマトペＸの表示態様を変える」ことの一例に相当する。
（ａ）オノマトペＸの表示サイズ又は表示色等を変える。
（ｂ）オノマトペＸと商品画像Ｘとの関連付けを示す線の太さ又は色等を変える。
（ｃ）オノマトペＸと商品画像Ｘとの関連付けを示す画像のサイズ、形状、又は色等を変える。
【０１４２】
例えば、表示制御部６６は、商品画像Ｘに関連付けて表示される吹き出し３８（すなわち、オノマトペＸを含む吹き出し３８）のサイズを、商品画像Ｘに関連付けられたコメント情報におけるオノマトペＸの出現回数に基づいて設定する。
【０１４３】
オノマトペＸの出現回数に基づいて吹き出し３８のサイズを設定するためには、オノマトペＸの出現回数と吹き出し３８のサイズとの対応関係を示す情報（以下「対応関係情報」と記載する。）が必要となる。図１７はこの対応関係情報の一例を示す。図１７に示す対応関係情報では、オノマトペＸの出現回数（ｎ）が多いほど、吹き出し３８のサイズが大きくなるようになっている。図１７に示す対応関係情報では、吹き出し３８のサイズが二段階の変化を行うようになっているが、吹き出し３８のサイズが三段階以上の変化を行うようにしてもよい。また、図１７に示す対応関係情報はテーブル形式の情報になっているが、対応関係情報は数式形式の情報であってもよい。
【０１４４】
図１８は、図１７に示す対応関係情報に基づいて吹き出し３８のサイズが設定された場合の一覧画面３０の一例を示す。図１８に示す一覧画面３０では、「さくさく」を含む吹き出し３８Ａが商品画像３６Ａに関連付けて表示されており、「こってり」を含む吹き出し３８Ｂが商品画像３６Ｂに関連付けて表示されている。なお、商品画像３６Ａは商品Ｐ１の商品画像３６であり、商品画像３６Ｂは商品Ｐ１２の商品画像３６であることとする。
【０１４５】
吹き出し３８Ａのサイズは、「さくさく」が商品Ｐ１に関するコメント情報に出現した回数に基づいて設定される。図１３に示すように、「さくさく」が商品Ｐ１に関するコメント情報に出現した回数は１０回であるため、吹き出し３８Ａのサイズは「大」に設定される。
【０１４６】
一方、吹き出し３８Ｂのサイズは、「こってり」が商品Ｐ１２に関するコメント情報に出現した回数に基づいて設定される。図１３に示すように、「こってり」が商品Ｐ１２に関するコメント情報に出現した回数は５回であるため、吹き出し３８Ｂのサイズは「小」に設定される。
【０１４７】
以上のようにすれば、オノマトペの表示態様をオノマトペごとに変えることができるようになる。例えば、出現回数の多いオノマトペほど目立つようにすることが可能になる。
【０１４８】
［４Ａ］なお、一覧画面３０では、大きく表示されるオノマトペと、小さく表示されるオノマトペとをペアとして表示するようにしてもよい。このようにすることによって、ユーザが最初に「大」サイズのオノマトペを注目し、その後に、「小」サイズのオノマトペを注目するように誘導するようにしてもよい。以下、このような機能を実現するための構成について説明する。
【０１４９】
例えば、一覧画面３０に表示される商品画像３６のうちから、複数の商品画像３６を、オノマトペ表示の対象として設定する場合、表示制御部６６は、第１の表示態様でオノマトペが表示されることになる商品画像３６と、第１の表示態様よりも目立つ表示態様である第２の表示態様でオノマトペが表示されることになる商品画像３６とのペアをオノマトペ表示の対象として設定する。
【０１５０】
例えば、表示制御部６６は、オノマトペがサイズ「小」で表示されることになる商品画像３６と、オノマトペがサイズ「大」で表示されることになる商品画像３６とのペアをオノマトペ表示の対象として設定する。すなわち、表示制御部６６は、オノマトペが「小」サイズで表示されることになる商品画像３６のうちから一つの商品画像３６を選出する。また、表示制御部６６は、オノマトペが「大」サイズで表示されることになる商品画像３６のうちから一つの商品画像３６を選出する。そして、表示制御部６６は、このようにして選出された二つの商品画像３６をオノマトペ表示の対象として設定する。
【０１５１】
なお、「第１の表示態様でオノマトペが表示されることになる商品画像３６」とは、オノマトペの出現回数が、第１の表示態様に対応付けられた第１の値範囲に属する商品画像３６であり、「第２の表示態様でオノマトペが表示されることになる商品画像３６」とは、オノマトペの出現回数が、第２の表示態様に対応付けられた第２の値範囲に属する商品画像３６である。
【０１５２】
例えば、「オノマトペが「小」サイズで表示されることになる商品画像３６」とは、オノマトペの出現回数が１０回未満である商品画像３６であり、「オノマトペが「大」サイズで表示されることになる商品画像３６」とは、オノマトペの出現回数が１０回以上である商品画像３６である（図１７参照）。
【０１５３】
以上のようにすれば、第１の表示態様のオノマトペと、第１の表示態様よりも目立つ表示態様である第２の表示態様のオノマトペとの両方が一覧画面３０に表示される。例えば、「小」サイズのオノマトペと「大」サイズのオノマトペとの両方が一覧画面３０に表示される。このようにすれば、ユーザは最初に「大」サイズのオノマトペを注目し、その後に、「小」サイズのオノマトペを注目するようになる。すなわち、以上のようにすれば、ユーザが複数のオノマトペを見る際の順序を誘導できるようになる。
【０１５４】
［５］例えば、オノマトペが商品画像３６内に含まれている場合には当該オノマトペを商品画像３６に関連付けて表示しないようにしてもよい。
【０１５５】
先述のように、商品画像は店舗によって作成されるため、商品の感覚的特徴をユーザに伝えるべく、店舗が、商品の感覚的特徴を示すオノマトペを商品画像に付け加える場合がある。図１９は、オノマトペが付け加えられた商品画像３６が表示された一覧画面３０の一例を示す。図１９に示す一覧画面３０には、「さくさく」が付け加えられた商品画像３６Ａが表示されている。なお、商品画像３６Ａは商品Ｐ１の商品画像３６であることとする。
【０１５６】
図１２に示すように、商品Ｐ１に関するコメント情報には「さくさく」及び「ふわふわ」の二つのオノマトペが含まれている。この場合、商品Ｐ１の商品画像３６である商品画像３６Ａ内には「さくさく」が含まれているため、「さくさく」を商品画像３６Ａに関連付けて表示してしまうと、「さくさく」が重複して表示されることになってしまう。そこで、本変形例では、図１９に示すように、「さくさく」を商品画像３６Ａに関連付けて表示せずに、その代わりに、「さくさく」以外のオノマトペである「ふわふわ」を商品画像３６Ａに関連付けて表示する。
【０１５７】
上記のような機能を実現するための構成について説明する。本変形例におけるオノマトペ取得部６４は、商品画像と商品画像に関連付けられたコメント情報との両方に含まれているオノマトペを、商品画像に関連付けて表示すべきオノマトペとして取得しない。
【０１５８】
例えば、本変形例におけるオノマトペ抽出部６２は、商品画像と商品画像に関連付けられたコメント情報との両方に含まれているオノマトペを抽出しないようにしてもよい。その結果として、オノマトペ取得部６４が、商品画像と商品画像に関連付けられたコメント情報との両方に含まれているオノマトペを、商品画像に関連付けて表示すべきオノマトペとして取得しなくなるようにしてもよい。
【０１５９】
以上のようにすれば、商品画像３６内に含まれているオノマトペと同じオノマトペを商品画像３６に関連付けて表示しないようにすることが可能になる。すなわち、一つの商品画像３６に関して、同じオノマトペを重複して表示しないようにすることが可能になる。
【０１６０】
［６］例えば、オノマトペが検索条件に含まれている場合には当該オノマトペを商品画像３６に関連付けて表示しないようにしてもよい。
【０１６１】
ユーザは商品の感覚的特徴を検索条件として指定するために、商品の感覚的特徴を示すオノマトペをキーワードとして設定する場合がある。図２０は、オノマトペがキーワードとして設定された場合の一覧画面３０の一例を示す。なお、図２０において商品画像３６Ａは商品Ｐ１の商品画像３６であることとする。
【０１６２】
図２０に示す一覧画面３０では、「ケーキ」及び「さくさく」の二つのキーワードがキーワード欄３２に入力されている。すなわち、商品の感覚的特徴を示すオノマトペである「さくさく」がキーワードとして設定されている。この場合、これら二つのキーワードがタイトル、カテゴリー、又は商品ページに含まれている商品の一覧が一覧画面３０に表示される。
【０１６３】
図１２に示すように、商品Ｐ１に関するコメント情報には「さくさく」及び「ふわふわ」の二つのオノマトペが含まれている。しかしながら、一覧画面３０に表示される商品画像３６はいずれも、「さくさく」を商品のタイトル、カテゴリー、又はページに含むような商品の商品画像３６であるから、「さくさく」は、一覧画面３０に表示される他の商品と区別するための特徴を示すものになっていない。このため、このような場合、「さくさく」を商品画像３６に関連付けて表示する必要性が低い。そこで、本変形例では、図２０に示すように、「さくさく」を商品画像３６Ａに関連付けて表示せずに、その代わりに、「ふわふわ」を商品画像３６Ａに関連付けて表示する。
【０１６４】
上記のような機能を実現するための構成について説明する。本変形例におけるオノマトペ取得部６４は、検索条件と商品画像に関連付けられたコメント情報との両方に含まれているオノマトペを、商品画像に関連付けて表示すべきオノマトペとして取得しない。なお、オノマトペ抽出部６２が、検索条件と商品画像に関連付けられたコメント情報との両方に含まれているオノマトペを抽出しないようにしてもよい。その結果として、オノマトペ取得部６４が、検索条件と商品画像に関連付けられたコメント情報との両方に含まれているオノマトペを、商品画像に関連付けて表示すべきオノマトペとして取得しなくなるようにしてもよい。
【０１６５】
以上のようにすれば、検索条件に含まれているオノマトペと同じオノマトペを商品画像３６に関連付けて表示しないようにすることが可能になる。すなわち、ユーザにとって必要性の低いオノマトペを表示しないようにすることが可能になる。
【０１６６】
なお、一覧画面３０に表示されている商品のうちで、商品Ｐ１に関連付けられたコメント情報における「さくさく」の出現回数が最も多い場合には、例外的に、「さくさく」を商品画像３６Ａに関連付けて表示するようにしてもよい。例えば、商品Ｐ１に関連付けられたコメント情報における「さくさく」の出現回数が、一覧画面３０に表示されている他の商品に比べてかなり多くなっている場合には、例外的に、「さくさく」を商品画像３６Ａに関連付けて表示するようにしてもよい。このような場合、「さくさく」は、一覧画面３０に表示される他の商品と区別するための特徴を示すものになっているからである。
【０１６７】
［７］例えば、一覧画面３０では、商品画像３６に写っている商品特有の特徴を示すオノマトペを表示するようにしてもよい。
【０１６８】
［７Ａ］まず、第１の例について説明する。ここでは、図１０に示す商品Ｐ１〜Ｐ１２の商品画像３６が一覧画面３０に表示されている場合を想定する。すなわち、図２に示す一覧画面３０において、一番上の行の左から右に向かって、商品Ｐ１〜Ｐ４の商品画像３６が表示されていることとする。同様に、中央の行の左から右に向かって、商品Ｐ５〜Ｐ８の商品画像３６が表示されていることとし、一番下の行の左から右に向かって、商品Ｐ９〜Ｐ１２の商品画像３６が表示されていることとする。
【０１６９】
また、ここでは、図２１に示すようなオノマトペが商品Ｐ１〜Ｐ１２のコメント情報から抽出されたこととする。図２１に示す例では、二つのオノマトペ「さくさく」及び「ふわふわ」が商品Ｐ１のコメント情報から抽出されている。このうち、「さくさく」は商品Ｐ３のコメント情報からも抽出されている。一方、「ふわふわ」は商品Ｐ１以外の商品のコメント情報からは抽出されていない。
【０１７０】
このような場合、「ふわふわ」は、一覧画面３０に表示される他の商品が有していない商品Ｐ１ならではの特徴を示していることになる。このため、このような場合、一覧画面３０では、「ふわふわ」を商品Ｐ１の商品画像３６に関連付けて表示するようにしてもよい。このようにすることによって、一覧画面３０に表示される他の商品が有していない商品ならではの特徴を示すオノマトペを商品画像３６に関連付けて表示するようにしてもよい。
【０１７１】
上記のような機能を実現するための構成について説明する。この変形例におけるオノマトペ取得部６４は、一覧画面３０に表示される一の商品画像３６（ここでは便宜上「商品画像Ｘ」と記載する。）に写っている商品（被写体）特有の特徴を示すオノマトペを、当該商品画像Ｘに関連付けて表示すべきオノマトペとして取得する。
【０１７２】
ここで、「商品画像Ｘに写っている商品特有の特徴を示すオノマトペ」は、商品画像Ｘに関連付けられたコメント情報と、一覧画面３０に表示される他の商品画像３６に関連付けられたコメント情報とに基づいて取得される。
【０１７３】
例えば、「商品画像Ｘに写っている商品特有の特徴を示すオノマトペ」とは、商品画像Ｘに写っている商品の、他の商品画像３６に写っている商品に対する相対的な特徴を示すオノマトペである。このようなオノマトペは、商品画像Ｘに関連付けられたコメント情報と、一覧画面３０に表示される他の商品画像３６に関連付けられたコメント情報との比較結果に基づいて取得される。
【０１７４】
例えば、商品画像Ｘに関連付けられたコメント情報に含まれ、かつ、他の商品画像３６に関連付けられたコメント情報に含まれていないオノマトペが「商品画像Ｘに写っている商品の相対的な特徴を示すオノマトペ」として取得される。
【０１７５】
以上のようにすれば、他の商品画像３６の商品に対する、商品画像Ｘの商品の相対的な特徴を示すオノマトペを商品画像Ｘに関連付けて表示できるようになる。すなわち、他の商品画像３６の商品が有していない商品画像Ｘの商品ならではの特徴を示すオノマトペを商品画像Ｘに関連付けて表示できるようになる。
【０１７６】
なお、商品画像Ｘに関連付けられたコメント情報における出現回数が多く、かつ、他の商品画像３６に関連付けられたコメント情報における出現回数が少ないオノマトペが「商品画像Ｘに写っている商品の相対的な特徴を示すオノマトペ」として取得されるようにしてもよい。
【０１７７】
すなわち、商品画像Ｘに関連付けられたコメント情報における出現回数が、他の商品画像３６に関連付けられた個々のコメント情報における出現回数よりも多く、かつ、その差が閾値以上であるようなオノマトペが「商品画像Ｘに写っている商品の相対的な特徴を示すオノマトペ」として取得されるようにしてもよい。
【０１７８】
このようにしても、他の商品画像３６の商品に対する、商品画像Ｘの商品の相対的な特徴を示すオノマトペを商品画像Ｘに関連付けて表示できるようになる。
【０１７９】
［７Ｂ］次に第２の例について説明する。ここでも、図１０に示す商品Ｐ１〜Ｐ１２の商品画像３６が一覧画面３０に表示されている場合を想定する。また、ここでは、図２２に示すようなオノマトペが商品Ｐ１〜Ｐ１２のコメント情報から抽出されたこととする。
【０１８０】
図１０に示すように、商品Ｐ４，Ｐ９の固有商品ＩＤは同一であるため、商品Ｐ４，Ｐ９は同一の商品である。また、図２２に示すように、一つのオノマトペ「さくさく」が商品Ｐ４，Ｐ９の両方のコメント情報から抽出されている。また、「さくさく」は、一覧画面３０に表示されている他の商品のコメント情報からは抽出されていない。このため、「さくさく」は商品Ｐ４，Ｐ９に共通な特徴を示すものであり、これらの同一商品ならではの特徴を示すものであるということができる。
【０１８１】
このため、このような場合、一覧画面３０では、「さくさく」を商品Ｐ４の商品画像３６に関連付けて表示するようにしてもよい。同様に、「さくさく」を商品Ｐ９の商品画像３６に関連付けて表示するようにしてもよい。このようにすれば、商品ならではの特徴を示すオノマトペを商品画像３６に関連付けて表示できるようになる。
【０１８２】
上記のような機能を実現するための構成について説明する。この変形例におけるオノマトペ取得部６４は、一覧画面３０に表示される一の商品画像３６（ここでは便宜上「商品画像Ｘ」と記載する。）に写っている商品と、商品画像Ｘの商品と同一又は類似の商品が写っている他の商品画像３６に写っている商品とに共通的な特徴を示すオノマトペを、商品画像Ｘに関連付けて表示すべきオノマトペとして取得する。
【０１８３】
ここで、上記「共通的な特徴を示すオノマトペ」は、商品画像Ｘに関連付けられたコメント情報と、商品画像Ｘに写っている商品と同一又は類似の商品が写っている他の商品画像３６に関連付けられたコメント情報との比較結果に基づいて取得される。
【０１８４】
なお、「商品画像Ｘの商品と同一又は類似の商品が写っている他の商品画像３６」とは、例えば、商品画像Ｘに関連付けられている固有商品ＩＤと同一の固有商品ＩＤが関連付けられている他の商品画像３６である。また、商品画像Ｘと同一又は類似の商品画像３６を「商品画像Ｘの商品と同一又は類似の商品が写っている他の商品画像３６」とみなすようにしてもよい。すなわち、商品画像Ｘとの類似度が閾値以上である商品画像３６を「商品画像Ｘの商品と同一又は類似の商品が写っている他の商品画像３６」とみなすようにしてもよい。
【０１８５】
例えば、下記に示すような条件ａ〜ｃをすべて満足するオノマトペが上記「共通的な特徴を示すオノマトペ」として取得される。
（ａ）商品画像Ｘに関連付けられたコメント情報に含まれている。
（ｂ）一覧画面３０に表示されている商品画像３６のうちの、商品画像Ｘの商品と同一又は類似の商品が写っている他の商品画像３６に関連付けられたコメント情報に含まれている。
（ｃ）一覧画面３０に表示されている商品画像３６のうちの、上記商品画像３６以外の商品画像３６に関連付けられたコメント情報に含まれていない。
【０１８６】
以上のようにしても、商品画像３６に写っている商品特有の特徴を示すオノマトペを商品画像３６に関連付けて表示できるようになる。
【０１８７】
［８］例えば、出現回数が多いオノマトペは、よく用いられるオノマトペと考えることができ、このようなオノマトペは、一覧画面３０に表示されている他の商品に対するコメントにおいても用いられている可能性が高い。このため、最も出現回数が多いオノマトペを商品画像３６に関連付けて表示させるのではなく、例えば、第２番目に出現回数が多いオノマトペを商品画像３６に関連付けて表示させるようにしたり、出現回数が低いオノマトペを商品画像３６に関連付けて表示させるようにしたりしてもよい。
【０１８８】
このようにすることによって、商品画像３６に関連付けられるオノマトペとして、一覧画面３０に表示されている他の商品に対するコメントで用いられていないようなオノマトペが表示される可能性を高めるようにしてもよい。
【０１８９】
［９］例えば、ユーザが過去に購入した商品に関連するオノマトペはユーザが興味を持つ可能性が高いため、このようなオノマトペを優先的に表示するようにしてもよい。
【０１９０】
例えば、ユーザが過去に購入した商品に関連付けられたコメント情報に「ふわふわ」が含まれている場合、一覧画面３０では「ふわふわ」を優先的に表示するようにしてもよい。例えば、商品画像３６に関連付けられたコメント情報から抽出された複数のオノマトペに「ふわふわ」が含まれている場合には、当該商品画像３６に関連付けて表示するオノマトペとして、「ふわふわ」を他のオノマトペよりも優先的に選出するようにしてもよい。
【０１９１】
上記のような機能を実現するための構成について説明する。この変形例におけるオノマトペ取得部６４は、商品画像３６に関連付けられたコメント情報に含まれるオノマトペのうちの、ユーザが過去に購入した商品に関連付けられたコメント情報に含まれるオノマトペを、他のオノマトペよりも優先して、商品画像３６に関連付けて表示すべきオノマトペとして取得する。
【０１９２】
例えば、商品画像３６に関連付けられたコメント情報に含まれるオノマトペのうちに、ユーザが過去に購入した商品に関連付けられたコメント情報に含まれるオノマトペが存在している場合、オノマトペ取得部６４は、そのオノマトペを、商品画像３６に関連付けて表示すべきオノマトペとして取得する。
【０１９３】
また例えば、ユーザが過去に購入した商品に関連付けられたコメント情報に含まれるオノマトペが選出される確率が他のオノマトペが選出される確率よりも高く設定された確率情報に基づいて、オノマトペ取得部６４は、商品画像３６に関連付けられたコメント情報に含まれるオノマトペのうちの少なくとも一つを選出し、選出されたオノマトペを、商品画像３６に関連付けて表示すべきオノマトペとして取得する。
【０１９４】
以上のようにすれば、ユーザが過去に購入した商品に関連するオノマトペを優先的に表示することが可能になる。すなわち、ユーザが興味を持つ可能性が高いオノマトペを優先的に表示することが可能になる。
【０１９５】
なお、ユーザが過去に閲覧した商品に関連するオノマトペを優先的に表示するようにしてもよい。このようなオノマトペもユーザが興味を持つ可能性が高いため、このようなオノマトペを優先的に表示するようにしてもよい。なお、この場合、ユーザが過去に閲覧した商品（商品ページ）の履歴に関するデータがデータ記憶部６０に記憶されている必要がある。
【０１９６】
［１０］例えば、オノマトペの表示頻度又は表示時間を商品又は店舗ごとに設定するようにしてもよい。
【０１９７】
この変形例における表示制御部６６は、オノマトペを商品画像３６に関連付けて表示する頻度又は時間を、商品に関する情報と、店舗（商品の提供者）に関する情報との少なくとも一方に基づいて設定する。
【０１９８】
なお、「商品に関する情報」には、例えば、商品の販売数、コメント数、評価結果、お気に入り登録数、転換率（商品画面の閲覧回数に対する商品の販売数）、又は在庫等に関する情報が含まれる。このような情報は例えば商品情報テーブルに記憶される。同様に、「店舗に関する情報」には、例えば、店舗の販売数、評価結果、又は転換率等に関する情報が含まれる。また、例えば、オノマトペの表示頻度を高くしたり、又は、オノマトペの表示時間を長くしたりする広告サービスを店舗が利用するか否かを示す情報も「店舗に関する情報」に含まれる。このような情報は例えば店舗情報テーブルに記憶される。
【０１９９】
例えば、表示制御部６６は、販売数が多い商品の商品画像３６に関連付けて表示されるオノマトペの表示頻度又は表示時間が、販売数が少ない商品の商品画像３６に関連付けて表示されるオノマトペの表示頻度又は表示時間よりも多くなるようにして、オノマトペの表示頻度又は表示時間を設定する。
【０２００】
なお、オノマトペの表示頻度（又は表示時間）を商品（又は店舗）に関する情報に基づいて設定するためには、商品（又は店舗）に関する情報とオノマトペの表示頻度（又は表示時間）との対応関係を示す情報が必要となる。このような対応関係情報に基づいて、表示制御部６６はオノマトペの表示頻度（又は表示時間）を設定することになる。
【０２０１】
以上のようにすれば、オノマトペの表示頻度又は表示時間を商品又は店舗ごとに変えることが可能になる。
【０２０２】
［１１］例えば、オノマトペの表示態様をオノマトペに基づいて変えるようにしてもよい。
【０２０３】
この変形例における表示制御部６６は吹き出し３８の形状をオノマトペに基づいて変える。例えば、表示制御部６６は吹き出し３８の形状をオノマトペに含まれる文字の種類に基づいて変える。
【０２０４】
例えば、平仮名は一般的に丸みを帯びているため，オノマトペが平仮名で表されたものである場合、表示制御部６６は、吹き出し３８の形状を、丸みを帯びた形状に設定する。一方、片仮名は一般的に角張っているため、オノマトペが片仮名で表されたものである場合、表示制御部６６は、吹き出し３８の形状を、角張った形状に設定する。
【０２０５】
同様に、表示制御部６６は、オノマトペを表示する場合の書体をオノマトペに基づいて変えるようにしてもよい。例えば、表示制御部６６は、オノマトペを表示する場合の書体をオノマトペに含まれる文字の種類に基づいて変えるようにしてもよい。
【０２０６】
例えば、オノマトペが平仮名で表されたものである場合、表示制御部６６は丸みを帯びた書体を用いるようにしてもよい。一方、オノマトペが片仮名で表されたものである場合、表示制御部６６は角張った書体を用いるようにしてもよい。
【０２０７】
［１２］例えば、オノマトペの表示態様をオノマトペを含んでいるテキスト情報の種類に基づいて変えるようにしてもよい。
【０２０８】
例えば、オノマトペが商品のコメント情報とタイトル（又は説明文）とに含まれている場合と、オノマトペが商品のコメント情報のみに含まれている場合とで、オノマトペの表示態様を変えるようにしてもよい。例えば、後者の場合に比べて、前者の場合にはオノマトペを強調して（目立つようにして）表示するようにしてもよい。すなわち、オノマトペを含んでいるテキスト情報の種類の数が多いほど、オノマトペを強調して表示するようにしてもよい。
【０２０９】
［１３］例えば、オノマトペが関連付けられている商品画像３６をユーザが指し示した場合（例えば、オノマトペが関連付けられている商品画像３６上にカーソルが移動した場合）、当該オノマトペに関連する他の商品をユーザに知らせるようにしてもよい。
【０２１０】
以下、このような機能を実現するための構成について説明する。以下では、便宜上、ユーザによって指し示された商品画像３６のことを「商品画像Ｘ」と記載し、ユーザによって指し示された商品画像３６に関連付けられていたオノマトペを「オノマトペＸ」と記載する。
【０２１１】
上記のような場合、表示制御部６６は、オノマトペＸに関連する他の商品をユーザが把握可能に提示する。なお、「オノマトペＸに関連する他の商品」とは、オノマトペＸがコメントに含まれるような他の商品である。例えば、商品Ｙに関するコメントにオノマトペＸが含まれている場合、商品Ｙは「オノマトペＸに関連する他の商品」に相当することになる。
【０２１２】
例えば、表示制御部６６は、オノマトペＸに関連する商品の商品画像３６を他の商品画像３６と区別して表示する。例えば、表示制御部６６は、オノマトペＸに関連する商品の商品画像３６のみに関連付けて所定の文字列又は画像を表示する。また例えば、表示制御部６６は、オノマトペＸに関連する商品の商品画像３６の表示態様（例えば表示サイズ又は色等）を他の商品画像３６と異ならせる。
【０２１３】
また例えば、表示制御部６６は、オノマトペＸに関連する商品に関する情報（商品画像３６）を、一覧画面３０内に別個に設けられた特定領域内に表示するようにしてもよい。
【０２１４】
以上のようにすれば、例えば、オノマトペＸが関連付けられた商品画像Ｘがユーザによって指し示された場合、オノマトペＸに関連する他の商品がユーザに提示されるようになる。すなわち、ユーザが興味を持つ可能性が高い他の商品をユーザに提示できるようになる。
【０２１５】
［１４］例えば、一覧画面３０では、商品（商品画像３６）を絞り込むための条件として、ユーザがオノマトペを選択できるようにしてもよい。すなわち、一覧画面３０ではオノマトペをユーザが選択可能に表示し、ユーザによってオノマトペが選択された場合、一覧画面３０に表示される商品を、ユーザによって選択されたオノマトペに関連する商品に絞り込むようにしてもよい。なお、ここで、「ユーザによって選択されたオノマトペに関連する商品」とは、例えば、ユーザによって選択されたオノマトペが商品のテキスト情報（例えばコメント情報等）に含まれているような他の商品である。
【０２１６】
また、ユーザが選択可能なオノマトペは、一覧画面３０に表示されている商品のテキスト情報（例えばコメント情報等）に含まれているオノマトペに限定するようにしてもよい。このようにすることによって、ユーザが選択可能なオノマトペを、少なくとも一つの商品が一覧画面３０に表示されることになるようなオノマトペに限定するようにしてもよい。言い換えれば、一覧画面３０に商品が表示されなくなるようなオノマトペを、ユーザが選択可能なオノマトペから除くようにしてもよい。
【０２１７】
［１５］例えば、一覧画面３０に表示される複数の商品画像３６のうちから、オノマトペが関連付けられている商品画像３６がユーザによって選択された場合、商品画面４０では、当該オノマトペを含むコメント５２を、当該オノマトペを含まないコメント５２よりも目立つように表示するようにしてもよい。
【０２１８】
以下、このような機能を実現するための構成について説明する。以下では、便宜上、ユーザによって選択された商品画像３６のことを「商品画像Ｘ」と記載し、ユーザによって選択された商品画像３６に関連付けられていたオノマトペを「オノマトペＸ」と記載する。
【０２１９】
上記のような場合、表示制御部６６は、商品画面４０に表示される複数のコメント５２（すなわち、商品画像Ｘに関連付けられた複数のコメント）のうちの、オノマトペＸを含むコメント５２を、オノマトペＸを含まないコメント５２と区別して表示する。
【０２２０】
例えば、表示制御部６６は、オノマトペＸを含むコメント５２のみに関連付けて所定の文字列又は画像を表示する。図２３はこの場合の商品画面４０の一例を示す。なお、図２３はオノマトペＸが「さくさく」である場合を示している。図２３に示す商品画面４０では、「さくさく」を含むコメント５２に関連付けて矢印マーク５６が表示されている。
【０２２１】
また例えば、表示制御部６６は、オノマトペＸを含むコメント５２の表示態様を、オノマトペＸを含まないコメント５２の表示態様と異ならせるようにしてもよい。例えば、表示制御部６６は、オノマトペＸを含むコメント５２の表示サイズ、表示色、背景色、又は枠の形状等を、オノマトペＸを含まないコメント５２と異ならせるようにしてもよい。
【０２２２】
また上記のような場合、表示制御部６６は、商品画面４０に表示される複数のコメント５２（すなわち、商品画像Ｘに関連付けられた複数のコメント）のうちの、オノマトペＸを含むコメント５２を、オノマトペＸを含まないコメント５２よりも優先して表示するようにしてもよい。
【０２２３】
例えば、表示制御部６６は、オノマトペＸを含むコメント５２の表示順位を、オノマトペＸを含まないコメント５２よりも高く設定するようにしてもよい。すなわち、表示制御部６６は、オノマトペＸを含むコメント５２を、オノマトペＸを含まないコメント５２よりも先に表示するようにしてもよい。
【０２２４】
オノマトペが関連付けられている商品画像３６がユーザによって選択された場合、ユーザはオノマトペに興味を持って商品画像３６を選択した可能性が高い。この点、以上のようにすれば、ユーザが興味を持っているオノマトペを含むコメント５２を見つけ易くなるようにすることが可能になる。
【０２２５】
なお、商品画像３６に関連付けられているオノマトペが消えた直後にその商品画像３６がユーザによって選択された場合にも、ユーザはオノマトペに興味を持って商品画像３６を選択した可能性が高い。このため、このような場合にも、オノマトペが関連付けられている商品画像３６がユーザによって選択された場合と同様にしてもよい。
【０２２６】
［１６］例えば、電子商取引システム１では、バッグや飲料等の物だけでなく、例えば電子書籍データ、音楽データ、又は映像データ等のデータを商品として販売するようにしてもよい。また、電子商取引システム１では、商品だけでなく、サービスを販売するようにしてもよい。
【０２２７】
［１７］以上では、本発明を電子商取引システムに適用した場合の例について説明した。すなわち、本発明の実施形態に係る表示制御装置を電子商取引システムにおいて実現した場合の例について説明した。しかしながら、本発明は電子商取引システム以外の情報処理システムにも適用することができる。本発明は、画像を含む画面を表示部に表示するような情報処理システムに適用することができる。
【符号の説明】
【０２２８】
１  電子商取引システム、２  通信ネットワーク、４  店舗端末、１０  サーバ、１１，２１  制御部、１２，２２  記憶部、１３，２３  通信部、１４  光ディスクドライブ部、２０  ユーザ端末、２４  操作部、２５  表示部、２６  音声出力部、３０  一覧画面、３２  キーワード欄、３４  検索ボタン、３６，３６Ａ，３６Ｂ，４２  商品画像、３８，３８Ａ，３８Ｂ  吹き出し、４０  商品画面、４４  説明文、４６  選択欄、４８  購入ボタン、５０  コメント欄、５２  コメント、５４  評価マーク、５６  矢印マーク、６０  データ記憶部、６２  オノマトペ抽出部、６４  オノマトペ取得部、６６  表示制御部。
【要約】
オノマトペ取得部（６４）は、画像に関連付けられたテキスト情報からオノマトペを抽出するオノマトペ抽出部（６２）の抽出結果に基づいて、画像に関連付けて表示すべきオノマトペを取得する。表示制御部（６６）は、画像を含む画面を表示部に表示させる。また、表示制御部（６６）は、オノマトペ取得部（６４）によって取得されたオノマトペを画像に関連付けて表示させる。【図１】
0005839764.tif 000002
【図２】
0005839764.tif 000003
【図３】
0005839764.tif 000004
【図４】
0005839764.tif 000005
【図５】
0005839764.tif 000006
【図６】
0005839764.tif 000007
【図７】
0005839764.tif 000008
【図８】
0005839764.tif 000009
【図９】
0005839764.tif 000010
【図１０】
0005839764.tif 000011
【図１１】
0005839764.tif 000012
【図１２】
0005839764.tif 000013
【図１３】
0005839764.tif 000014
【図１４】
0005839764.tif 000015
【図１５】
0005839764.tif 000016
【図１６】
0005839764.tif 000017
【図１７】
0005839764.tif 000018
【図１８】
0005839764.tif 000019
【図１９】
0005839764.tif 000020
【図２０】
0005839764.tif 000021
【図２１】
0005839764.tif 000022
【図２２】
0005839764.tif 000023
【図２３】
0005839764.tif 000024